(57)【要約】      （修正有）【課題】賞状・感謝状・卒業証書等を丸めて収納する円筒状体の賞状筒に関し、特に筒体内に丸めて収納した円筒状体の取り出しを、円滑に改良した賞状筒を提供する。【解決手段】賞状や感謝状等を納める納入筒１と、該納入筒内に挿入され該納入筒から先端部２ａが少量露出するガイド筒２と、該ガイド筒の先端嵌合部２に嵌合する蓋筒３からなる賞状筒１０において、納入筒１の先端から露出するガイド筒２の先端嵌合部２ａには、納入筒１の軸線方向Ｌに向けて長孔２ｂを開口させた。【選択図】図１
0003233597.tif 000002
【実用新案登録請求の範囲】
【請求項１】
賞状や感謝状等を納める納入筒と、該納入筒内に挿入され該納入筒から先端部が少量露出するガイド筒と、該ガイド筒の露出部に嵌合する蓋筒とからなる賞状筒において、上記納入筒の先端から露出する上記ガイド筒の先端嵌合部には、納入筒の軸線方向に向けて長孔を開口させたことを特徴とする賞状筒。
【請求項２】
上記請求項１の賞状筒バッグにおいて、上記納入筒の軸線方向に向けてガイド筒の先端嵌合部に開けた長孔は、ガイド筒の筒壁の対象位置に二つ開口させたことを特徴とする賞状筒。
【考案の詳細な説明】
【技術分野】
【０００１】  本考案は、例えば賞状・感謝状・卒業証書等を丸めて収納する円筒状体の賞状筒に関し、特に、賞状筒の筒内に丸めて収納した円筒状体の取り出しを、円滑・容易に出来るように改良した賞状筒に係わる。
【背景技術】
【０００２】  従来の賞状入れの一つは、該賞状入れを横から開閉して、賞状、お免状等を出し入れするもので、さらに、外側に装飾紙を貼って、誰の賞状か、何時の、何が入っているかを、わかりやすくし、また、たとえば、色々な御稽古ごとの免状などを入れる物として、流派を限定し、他の流派と区別化する独自の文様の和紙、布地を貼ることができる横に開けられる賞状入れがある。
その構成は、  賞状入れ本体（１）の筒の中心を縦割りし、賞状入れ（３）とフタ（２）に分割し、賞状入れ（３）とフタ（２）は、横から開閉できるように、蝶番、またはテープ（７）を設け、フタ（２）に留め具（５ａ）を設け、賞状入れ（３）に留め具（５ｂ）を設け、賞状入れ（３）の内側にすべり留め（６）を設け、賞状入れ本体（１）の筒の両端の円形の部分に、中身がわかるように名前などの記載欄（４）を設けたことを特徴とする横に開けられる賞状入れるものである（特許文献１）。【０００３】  また、その二は、  賞状入れとして使用される円筒形スライドケースの出し入れを簡単にできるようにする。その構成は、一端を開口した収納筒の開口部側内周壁に、その一部を突出させてスライド部としたスライド筒を固着すると共に、収納筒の長さを収納物の全長よりも短く設定した。この収納筒に取り付けられる蓋は、前記スライド部の長さよりも長く設定して円筒状の蓋を形成すると共に、スライド部を除く収納筒と円筒状の蓋との両方によって、収納物の全長を覆う長さとした。
その効果は、円筒状の蓋を外すと収納物が露出した状態になり、収納物をそのままつかみ、引き出すことができる。これで、収納物は筒の内壁と接する面積が少ないから、出し入れが非常に簡単になった。ものである（特許文献２）。
【先行技術文献】
【特許文献】
【０００４】
【特許文献１】特開２０１５−７４２２３号公報
【特許文献２】特開平５−３２０９１号公報
【考案の概要】
【考案が解決しようとする課題】
【０００５】  上記特許文献１の賞状入れ３は、賞状入れ本体（１）の筒の中心を縦割りし、賞状入れ（３）とフタ（２）に分割し、賞状入れ（３）とフタ（２）は、横から開閉できるように、蝶番、またはテープ（７）を設け、フタ（２）に留め具（５ａ）を設け、賞状入れ（３）に留め具（５ｂ）を賞状入れ３に設け、賞状入れ（３）の内側にすべり留め（６）を設け、賞状入れ本体（１）の筒の両端の円形の部分に、中身がわかるように名前などの記載欄（４）を設けている。この賞状入れ３は、片側ヒンジの筆箱式に近似しており、賞状の出し入れ操作性が複雑となるばかりか、賞状を丸める外径が大きいと賞状入れ３内に入れ難いし、フタ２を閉じる操作性や留め具５ａ，５ｂの操作性を伴い、賞状等の挿入・取出し作業が煩雑になる他、賞状入れ３の製造コストも高くなる。問題がある。【０００６】  また、特許文献２の円筒形スライドケースは、一端を開口した収納筒の開口部側内周壁に、その一部を突出させてスライド部としたスライド筒を固着すると共に、収納筒の長さを収納物の全長よりも短く設定した。この収納筒に取り付けられる蓋は、前記スライド部の長さよりも長く設定して円筒状の蓋を形成すると共に、スライド部を除く収納筒と円筒状の蓋との両方によって、収納物の全長を覆う長さとしたから、円筒状の蓋を外すと収納物が露出した状態になり、収納物をそのまま掴み、引き出すことができると言う。しかしながら、収納物の全長は、収納筒とこれに最大限押し込んだ状態のスライド筒の突出長さを加算した長さよりも長い物に限定されるから、収納できる収納物の全長が長い物に限定される。更に、円筒形スライドケースは、収納筒とスライド部と蓋からなるから、これら３部材の嵌合精度が要求され、製品コストが以外に高額となる問題がある。
【課題を解決するための手段】
【０００７】  本考考案の賞状筒は、上記二つの従来技術における問題点に鑑みて成されたもので、請求項１は、賞状や感謝状等を納める納入筒と、該納入筒内に挿入され該納入筒から先端部が少量露出するガイド筒と、該ガイド筒の露出部に嵌合する蓋筒とからなる賞状筒において、上記納入筒の先端から露出する上記ガイド筒の先端嵌合部には、納入筒の軸線方向に向けて長孔を開口させたことを特徴とする。【０００８】  請求項２は、上記請求項１の賞状筒バッグにおいて、上記納入筒の軸線方向に向けてガイド筒の先端嵌合部に開けた長孔は、ガイド筒の筒壁の対象位置に二つ開口させたことを特徴とする。【０００９】  しかして、請求項１の賞状筒によると、収納筒と該収納筒に嵌入固着されているガイド筒の突出部とを加算した長さよりも、収納物（賞状他）が短く、収納筒及びガイド筒内に完全に挿入された収納物に対して、ガイド筒の側壁に開けた楕円穴に覗く収納物に対して、ガイド筒内側と楕円穴外側を親指と人差し指とで摘み、収納物を引き出す事が、極めて簡単にできる。【００１０】  また、請求２の賞状筒によると、納入筒の軸線方向に向けてガイド筒の先端嵌合部に開けた長孔は、ガイド筒の筒壁の対象位置に二つ開口させたから、親指と人差し指又は中指で長孔の開口部に露出する収納物に対して挟み、長孔の先端方向へ移動させることで納入筒から収納物が引き出せる。完全な引き出しは、丸めた収納物の先端側を持ち替え、納入筒から収納物が引き出せる。
【考案の効果】
【００１１】  本考考案の賞状筒によると、収納する賞状の大きさに係わりなく、簡便にして、賞状筒への収納物の挿入と引き出し作業がワンタッチに行える。また、賞状筒の製造費も安価に抑えられるから、必然的に販売価格も抑えられる。【００１２】
【図面の簡単な説明】
【００１３】
【図１】  本考案の第１実施形態を示し、賞状筒の正面斜視図である。
【図２】  本考案の第１実施形態を示し、賞状筒の側面図と収納物の引出し拡大図と端面図である。
【図３】  本考案の第２実施形態を示し、賞状筒の一部拡大斜視図である。
【図４】  本考案の第２実施形態を示し、賞状筒の端面作用図である。
【図５】  本考案の第２実施形態を示し、賞状筒における収納物の引出し作用図である。
【考案を実施するための形態】
【００１４】  以下、図１乃至図５を参照して本考案の実施の形態となる賞状筒を説明する。
【実施例】
【００１５】  本考案の第１の実施の形態となる賞状筒１０は、賞状や感謝状４等を筒状に丸めて納める納入筒１と、該納入筒内に挿入され該納入筒１から先端部２ａが少量露出するガイド筒２と、該ガイド筒２の先端嵌合部２ａに嵌合する蓋筒３からなる賞状筒１０である。上記納入筒１の先端から露出する上記ガイド筒２の先端嵌合部２ａには、該納入筒２の軸線方向Ｌに向けて長孔２ｂを開口させたものである。【００１６】  尚、図３に示す第２実施の形態となる賞状筒２０においては、上記納入筒の軸線方向Ｌに向けてガイド筒２の先端嵌合部２ａに開けた長孔２ｂと２ｃとは、ガイド筒の筒壁の対象位置に二つ開口させたものである。【００１７】  これにより、図１〜図２の第１実施形態となる賞状筒１０によると、以下の様に作用する。図１〜図２において、賞状筒１０は、収納筒１と該収納筒に嵌入固着されているガイド筒２の突出部２ａとを加算した長さよりも、図２（ａ）に図示するように、収納物（賞状他）４が少し長いか、短く収納筒１に嵌るガイド筒２内に完全挿入又は一部突出された収納物４に対している。この状態において、図２（ｂ）と図２（ｃ）の如く、ガイド筒２の突出部２ａに開けた長孔２ｂに覗く収納物４に対して、ガイド筒２内側と長孔２ｂの外側を親指Ｈ１と人差し指Ｈ２とで摘み、丸めた収納物４を軸芯方向Ｌへ引き出す事が、極めて簡単に実施できる。【００１８】  更に、図３〜図５に示す第２実施形態となる賞状筒２０は、図３の如く、納入筒１の軸芯方向Ｌに向けてガイド筒２の先端嵌合部２ａに開けた長孔２ｂの他、ガイド筒の筒壁の対象位置にも長孔２ｃが開けられているから、親指Ｈ１と人差し指Ｈ２で長孔２ｂ，２ｃの開口部に露出する収納物４に対して内外から挟み、長孔の先端方向（軸芯方向）Ｌへ移動させることで、納入筒１から収納物４が引き出せる。完全な引き出しは、丸めた収納物４の先端側に持ち替え、納入筒から収納物が引き出せる。勿論、図５に示すように、親指Ｈ１と人差し指Ｈ２で長孔２ｂ，２ｃの開口部に露出する収納物４に対して、抜き出す方向Ｆとなる長孔２ｂ，２ｃの長さ方向Ｌへ、Ｆの如く何回も寸送りすれば、収納物４は、４ａ（１回）、４ｂ（２回）、４ｃ（３回）の如くのように、少しずつ引き出される。４ｃ迄引き出されたところで、この露出部を手で握り、一斉に引き出せる。【００１９】  しかして、上記賞状筒１０，２０によると、収納する賞状その他の証書の大きさに係わりなく、収納物４を簡便にして、賞状筒１０，２０への収納物４の挿入と引き出し作業がワンタッチ操作により行える。また、賞状筒１０，２０の製造費も従来製品と略同様に安価に抑えられるから、必然的に販売価格も抑えられ、経済的効果と利便効果が両立できる。
【産業上の利用可能性】
【００２０】  本考案の賞状筒１０，２０は、上記実施例に限定されず、考案の技術的範囲内において設計変更が可能である。例えば、本考案の賞状筒によると、収納する賞状その他の証書の大きさに係わりなく仕様できる他、あらゆる巻き込んだ収納物に対応可能である。
【符号の説明】
【００２１】１    納入筒
２    ガイド筒
２ａ  先端嵌合部
２ｂ，２ｃ  長孔
３    蓋筒
４    収納物
Ｌ，Ｆ  軸芯方向（先端方向）
Ｈ１  親指
Ｈ２  人差し指
１０，２０  賞状筒
【図１】
0003233597.tif 000003
【図２】
0003233597.tif 000004
【図３】
0003233597.tif 000005
【図４】
0003233597.tif 000006
【図５】
0003233597.tif 000007